(57)【要約】【課題】  天然繊維もしくは合成繊維の布地からなる上下に扁平な袋体１０と、袋体１０の内部へ充填される複数の小片布１２とを備えた摺擦具１において、小片布１２が摺擦具１の一端側へ偏るのを抑制することによって、使用する際に摺擦対象部位を効率良く摺擦できる、使い勝手の良い摺擦具を提供すること。【解決手段】  袋体１０の内部に、平面視においてその内部全体に広がるシート状の網体１３を結合することによって、小片布１２が網体１３に引っ掛かり、摺擦具１の一端側へ偏るのを抑制する。【選択図】  図１
2007000211.tif 000002
【特許請求の範囲】
【請求項１】
天然繊維もしくは合成繊維の布地からなる上下に扁平な袋体と、前記袋体の内部へ充填される多数の小片布とを備えた摺擦具において、
前記袋体の内部には、平面視においてその内部全体に広がるシート状の網体が結合されている、摺擦具。
【請求項２】
請求項１に記載の摺擦具において、
前記小片布は、前記網体の表裏面と前記袋体の内面との間隙の両方に充填されている、摺擦具。
【請求項３】
請求項１または２に記載の摺擦具において、
前記網体の内部には、合成樹脂発泡体からなる芯板が収容されている、摺擦具。
【請求項４】
請求項１から３のいずれかに記載の摺擦具において、
前記袋体および前記小片布は、単繊維繊度が０．００１〜１．１デシテックスの極細繊維で形成されている、摺擦具。
【発明の詳細な説明】
【技術分野】
【０００１】
本発明は、身体を洗浄するための摺擦具に関するものである。
【背景技術】
【０００２】
顔や手足等、身体を洗う際に使用される摺擦具として、天然繊維または合成繊維の布地からなるタオルや、矩形ブロック状の連続気泡性ウレタンフォームからなるボディスポンジ等が知られている。
【０００３】
これらの摺擦具は、一枚の布地やウレタンフォームの塊を切断して形成されており、その生産過程において発生する余分な端材は、廃棄処分されている。従って、材料の無駄が生じやすく、廃棄処分に対する労力やコスト面での負担がかかる。
そこで、上記摺擦具の生産過程において発生する端材の有効利用すべく、図８に示すような摺擦具を考えることができる。
【０００４】
図８（ａ）は、摺擦具９の断面図であり、合成繊維の布地からなる２枚の摺擦シート９１，９１を重ね合わせて袋体９０を形成し、その袋体９０の中央部に設けられた間隙９００に、合成繊維からなる布地を小さく切断した小片布９２を充填したものである。
【０００５】
このものでは、摺擦シート９１，９１相互の間隙９００に、布地を小さく切断した小片布９２が多数充填されているから、摺擦具９全体のクッション性が高く、摺擦対象部位に対してソフトな使用感を与えることができる。
【特許文献１】特開２００１−３２７４２９号公報
【発明の開示】
【発明が解決しようとする課題】
【０００６】
しかしながら、上記摺擦具９では、小片布９２が袋体９０の間隙９００内で自由に移動し易いため、その小片布９２が摺擦具９の一端側へ偏り易い（図８（ｂ）参照）。従って、摺擦具９全体の形態が不安定に変形し易く、使用する際に摺擦対象部位を効率良く摺擦できないといった問題があった。
【０００７】
本発明は係る点に鑑みてなされたもので、
『天然繊維もしくは合成繊維の布地からなる上下に扁平な袋体と、前記袋体の内部へ充填される多数の小片布とを備えた摺擦具』において、使い勝手の良い摺擦具を提供することを課題とする。
【課題を解決するための手段】
【０００８】
上記課題を解決するための本発明の技術的手段は、
『前記袋体の内部には、平面視においてその内部全体に広がるシート状の網体が結合されている』ことである。
上記技術手段によれば、小片布が充填される袋体の内部に、シート状の網体が設けられているから、小片布が網体に引っ掛かり、摺擦具の一端側へ偏るのが抑制される。
【０００９】
請求項２に係る発明の技術的手段は、
前記請求項１において、
『前記小片布は、前記網体の表裏面と前記袋体の内面との間隙の両方に充填されている』ことである。
このものでは、網体の表裏面と袋体の内面との間隙の両方に小片布が充填されているから、網体の片面側にのみ小片布が充填されているものに比べて、網体に引っ掛かる小片布の量が多い。従って、摺擦具の一端側へ偏るのが一層抑制される。
【００１０】
請求項３に係る発明の技術的手段は、
前記請求項１または２において、
『前記網体の内部には、合成樹脂発泡体からなる芯板が収容されている』ことである。
このものでは、袋体の内部に、合成樹脂発泡体で形成された芯板が収容されているから、摺擦具全体の形態安定性が向上する。
【００１１】
請求項４に係る発明の技術的手段は、
前記請求項１から３のいずれかにおいて、
『前記袋体および前記小片布は、単繊維繊度が０．００１〜１．１デシテックスの極細繊維で形成されている』ことである。
このものでは、袋体および小片布が、単繊維繊度が０．００１〜１．１デシテックスの極細繊維で形成されているから、摺擦対象部位の脂分や汚れを効果的に拭き取ることができる。
【発明の効果】
【００１２】
本発明は、上記構成であるから次の特有の効果を有する。
請求項１に係る発明によれば、小片布が摺擦具の一端側へ偏るのを抑制することによって、使用する際に摺擦対象部位を効率良く摺擦できるから、使い勝手の良い摺擦具を提供することができる。
【００１３】
請求項２に係る発明では、小片布が摺擦具の一端側へ偏るのを一層抑制するから、一層使い勝手の良い摺擦具を提供することができる。
請求項３に係る発明では、上記効果に加えて、摺擦具全体の形態安定性が向上するから、一層使い勝手の良い摺擦具を提供することができる。
【００１４】
請求項４に係る発明では、上記効果に加えて、摺擦対象部位の脂分や汚れが効果的に拭き取られるから、洗浄効果の高い摺擦具を提供することができる。
【発明を実施するための最良の形態】
【００１５】
次に、上記した本発明を実施するための最良の形態について、添付図面を参照しながら詳述する。
図１（ａ）は、本発明の実施の形態に係る摺擦具１の一部を切り欠いた状態の平面図であり、図１（ｂ）は、その一部断面概略図である。
【００１６】
図１（ａ）および（ｂ）に示すように、摺擦具１は、略楕円状に形成された２枚の摺擦シート１１，１１で構成された上下に扁平な袋体１０と、布地を小さく切断して形成される小片布１２と、摺擦シート１１，１１の外周形状と同形のメッシュシート１３とを備えており、メッシュシート１３が中間に位置するように摺擦シート１１，１１とメッシュシート１３とを重ね合わせ、該メッシュシート１３と摺擦シート１１，１１との間隙１００，１００に多数の小片布１２を充填したものである。また、袋体１０の両端には、ループ状のストラップ１５，１５が設けられている。摺擦シート１１，１１とメッシュシート１３は、その周縁部でストラップ１５，１５とともに縫合されている。
尚、上記「メッシュシート１３」が、既述請求項１の発明特定事項としての「網体」に対応する。
【００１７】
摺擦シート１１は、単繊維繊度が約０．２５デシテックスのポリエステル系樹脂の極細繊維で形成された布地であり、平坦層Ｒ１，Ｒ１と、それら平坦層Ｒ１，Ｒ１相互間のパイル編み層Ｒ２とを有する三層構造になっている（図２参照）。
尚、上記摺擦シート１１は、ポリエステル系樹脂繊維で形成されているが、これに限定されるものではなく、ポリアミド系樹脂繊維で形成したものであっても良いし、ポリエステル系樹脂繊維とポリアミド系樹脂繊維とを混合して形成したものであっても良い。また、その単繊維繊度は、約０．２５デシテックスのものであるが、これに限らず、０．００１デシテックスであっても良いし、１．１デシテックスであっても良い。さらに、上記摺擦シート１１は、平坦層Ｒ１，Ｒ１相互間にパイル編み層Ｒ２が設けられたものであるが、摺擦シート１１の表面側にパイル編み層が表出するものであっても良いし、摺擦シート１１全体が平坦に形成されているものであっても良い。
【００１８】
小片布１２は、単繊維繊度が約０．２５デシテックスのポリエステル系樹脂の極細繊維で形成された布地を縦横５ｍｍから２０ｍｍ程度の大きさに切断したものであり、上記摺擦シート１１と同様、平坦層Ｒ１，Ｒ１と、それら平坦層Ｒ１，Ｒ１相互間のパイル編み層Ｒ２とを有する三層構造になっている（図２参照）。
【００１９】
尚、上記小片布１２についても、上記摺擦シート１１と同様、ポリアミド系樹脂繊維で形成したものであっても良いし、ポリエステル系樹脂繊維とポリアミド系樹脂繊維とを混合して形成したものであっても良い。また、その単繊維繊度は、約０．２５デシテックスのものであるが、これに限らず、０．００１デシテックスであっても良いし、１．１デシテックスであっても良い。さらに、上記小片布１２は、その一面側にパイル編み層が表出するものであっても良いし、小片布１２全体が平坦に形成されているものであっても良い。
【００２０】
メッシュシート１３は、ポリエステル系樹脂繊維で形成された細目（例えば、長径が約０．２ｍｍの網目）のメッシュ生地である。
尚、上記メッシュシート１３は、ポリエステル系樹脂繊維で形成されているが、これに限定されるものではなく、ナイロン系樹脂繊維で形成したものであっても良い。
【００２１】
ストラップ１５は、引張強度が高く且つ柔軟な布テープで形成されている。尚、この両方のストラップ１５，１５に紐を取り付けて使用すれば、手の届き難い背中や腰部の摺擦も容易になる。
【００２２】
上記摺擦具１によれば、メッシュシート１３の上下面側の間隙１００，１００に小片布１２が充填されており、メッシュシート１３に引っ掛かる小片布１２の量が多いから、メッシュシート１３近傍の小片布１２が自由に移動できる度合が低い。即ち、図３に示すように、小片布１２の切断面にあらわれる繊維体１２０の端部がメッシュシート１３の網目部１３０に進入し、小片布１２全体がメッシュシート１３に引っ掛かった状態になる。また、小片布１２の外周コーナー部もメッシュシート１３に引っ掛かる。従って、小片布１２が摺擦具１の一端側へ偏るのが抑制される。これによって、摺擦具１全体の形態が不安定に変形するのが抑制され、使用する際に摺擦対象部位を効率良く摺擦できるから、使い勝手が良い。
【００２３】
また、メッシュシート１３が摺擦シート１１，１１相互間をその中間で仕切るように設けられており、メッシュシート１３の表裏面の両側に小片布１２が充填されているから、メッシュシート１３の片面側にのみ小片布１２を充填する場合と比べて、メッシュシート１３に多くの小片布１２が接触する。従って、小片布１２の偏在を一層抑制できる。これによって、摺擦具１全体の形態が不安定に変形するのが一層抑制され、摺擦対象部位を効率良く摺擦できるから、使い勝手が一層良好である。
【００２４】
さらに、摺擦シート１１は、極細繊維で形成されているから、摺擦対象部位の脂分や汚れを効果的に拭き取ることができる。具体的には、摺擦シート１１表面の極細繊維間に形成された微細な空間に、肌表面の皮脂や汚れが吸着されるとともに、極細繊維の端部が毛穴にまで入り込み、その毛穴に詰まった皮脂や汚れを除去する。上記摺擦具１に石鹸を付けて使用した場合は、摺擦シート１１の極細繊維が毛穴にまで入り込む微細で均一な泡を造り出し、その泡が毛穴に詰まった皮脂や汚れを除去する。これにより、摺擦対象部位の脂分や汚れを効果的に拭き取ることができ、高い洗浄効果を発揮する。
【００２５】
また、上記摺擦シート１１は、平坦層Ｒ１，Ｒ１相互間にパイル編み層Ｒ２を有する三層構造になっており、そのパイル編み層Ｒ２が摺擦シート１１のクッション性を高めている。従って、摺擦具１全体のクッション性が一層高まり、摺擦対象部位に対してソフトな使用感を一層与えることができる。
【００２６】
小片布１２も上記摺擦シート１１と同様、極細繊維で形成されており、摺擦具１に石鹸を付けて使用した場合は、小片布１２の極細繊維が毛穴にまで入り込む微細で均一な泡を造り出すから、摺擦対象部位の脂分や汚れを一層効果的に拭き取ることができる。また、平坦層Ｒ１，Ｒ１相互間にパイル編み層Ｒ２を有する三層構造になっているから、摺擦具１全体のクッション性が一層高まり、摺擦対象部位に対してソフトな使用感を一層与えることができる。
【００２７】
［その他］
尚、上記実施の形態において、メッシュシート１３は、摺擦シート１１，１１相互の中間に設けられ、それらメッシュシート１３と摺擦シート１１，１１との間隙１００，１００に小片布１２が充填されたものであるが、図４に示すように、２枚のメッシュシート１３，１３を摺擦シート１１，１１の内面側に沿って設け、該メッシュシート１３，１３相互の間隙１００Ａに小片布１２を充填したものであっても良い。このものでは、摺擦シート１１，１１の内面に沿って設けられたメッシュシート１３，１３によって、小片布１２が摺擦具１Ａの一端側に偏るのを抑制しているから、使い勝手が良い。
【００２８】
また、図５に示すように、２枚のメッシュシート１３，１３相互の間隙１００Ｂに合成樹脂発泡体で小判状に形成された芯材１６を収容して、このメッシュシート１３，１３を摺擦シート１１，１１で挟み込み、メッシュシート１３，１３と摺擦シート１１，１１との間隙１０，１０に小片布１２を充填したものであっても良い。このものでは、上記芯材１６によって摺擦具１Ｂ全体の形態が安定するとともに、小片布１２がメッシュシート１３，１３に引っ掛かるから、使い勝手が一層良好である。また、合成樹脂発泡体で形成された芯材１６が適度な弾力性を発揮するから、良好な使用感が得られる。
【００２９】
また、上記実施の形態では、メッシュシート１３と摺擦シート１１，１１との間隙１００，１００の両側に小片布１２を充填したものであるが、図６に示すように、間隙１００，１００の一方に小片布１２を充填し、他方に芯材１６を収容したものであっても良い。このものでは、上記芯材１６によって摺擦具１Ｃ全体の形態が安定するとともに、小片布１２が摺擦具１Ｃの一端側に偏るのも抑制されるから、使い勝手が良い。
【００３０】
上述の摺擦具１，１Ａ，１Ｂ，１Ｃは、上記従来のものと比べて形態安定性に優れているから、図７に示すように、例えば、手や足の洗浄に使用されるブラシ２に取り付けて使用するのにも適している。ベース本体２０の上部に形成された凹部２１に上記摺擦具１，１Ａ，１Ｂ，１Ｃを載置し、その上方から止め具２２で挟持することによって、摺擦対象部位の脂分や汚れを効果的に拭き取ることができる摺擦具を備えたブラシ２を提供することができる。
【図面の簡単な説明】
【００３１】
【図１】本発明の実施の形態に係る摺擦具１の一部を切り欠いた状態の平面図（ａ）および一部断面概略図（ｂ）
【図２】本発明の実施の形態に係る摺擦具１における摺擦シート１１および小片布１２の断面概略図
【図３】本発明の実施の形態に係る摺擦具１におけるメッシュシート１３の網目１３０近傍の断面拡大概略図
【図４】本発明のその他の実施形態に係る摺擦具１Ａの断面概略図
【図５】本発明のその他の実施形態に係る摺擦具１Ｂの断面概略図
【図６】本発明のその他の実施形態に係る摺擦具１Ｃの断面概略図
【図７】本発明の実施の形態に係る摺擦具１を取り付けたブラシ２の一部分解斜視図
【図８】従来の摺擦具９の断面概略図（ａ）およびその摺擦具９の一端側に小片布９２が偏った状態の断面概略図（ｂ）
【符号の説明】
【００３２】
１・・・摺擦具
１０・・・袋体
１２・・・小片布
１３・・・網体
【図１】
2007000211.tif 000003
【図２】
2007000211.tif 000004
【図３】
2007000211.tif 000005
【図４】
2007000211.tif 000006
【図５】
2007000211.tif 000007
【図６】
2007000211.tif 000008
【図７】
2007000211.tif 000009
【図８】
2007000211.tif 000010